(57)【要約】【課題】警笛、警報またはサイレン等の外部特定音を認識できるマイクロフォン付きヘッドセットの外部特定音認識方法を得る。【解決手段】ヘッドセット本体１にスピーカー２とマイクロフォン３を設ける。マイクロフォン３で外部音を受信しつつ、音楽プレイヤーや携帯電話等の音源５からの信号をヘッドセット本体１のスピーカー２を用いて聴取している際に、マイクロフォン３で受信した外部音をキャンセルして音源５からの信号を聴き易くする。外部の警笛、警報またはサイレン等の外部特定音を検出する外部特定音検出回路９を設け、この外部特定音検出回路９で外部音の中に外部特定音を検出した際に、音源５からの信号を遮断して外部特定音を聴取する。【選択図】図１
2008300894.tif 000002
【特許請求の範囲】
【請求項１】
ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取している際に、前記マイクロフォンで受信した外部音をキャンセルして前記音源からの信号を聴き易くするマイクロフォン付きヘッドセットに、外部の警笛、警報またはサイレン等の外部特定音を検出する外部特定音検出回路を設け、前記外部特定音検出回路で前記外部音の中に前記外部特定音を検出した際に、前記音源からの信号を遮断して前記外部特定音を聴取することを特徴とするマイクロフォン付きヘッドセットの外部特定音認識方法。
【請求項２】
ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取している際に、前記マイクロフォンで受信した外部音をキャンセルして前記音源からの信号を聴き易くするマイクロフォン付きヘッドセットに、外部の警笛、警報またはサイレン等の外部特定音を予め記憶しておく外部特定音記憶部を有する外部特定音検出回路を設け、前記外部特定音記憶部を用いて前記外部音の中に前記外部特定音が含まれていることを前記外部特定音検出回路が検出した際に、前記音源からの信号を遮断して前記外部特定音を聴取することを特徴とするマイクロフォン付きヘッドセットの外部特定音認識方法。
【請求項３】
ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取するマイクロフォン付きヘッドセットに、外部の警笛、警報またはサイレン等の外部特定音を検出する外部特定音検出回路を設け、前記外部特定音検出回路で前記外部音の中に前記外部特定音を検出した際に、前記音源からの信号を遮断して前記外部特定音を聴取することを特徴とするマイクロフォン付きヘッドセットの外部特定音認識方法。
【請求項４】
ヘッドセット本体に設けられたスピーカー及びマイクロフォンと、前記マイクロフォンで受信した外部音を増幅する増幅器と、音楽プレイヤーや携帯電話等の音源からの信号を増幅しつつ前記増幅器からの前記外部音をキャンセルして前記スピーカーに出力する第１のパワー増幅器と、前記増幅器で増幅した前記外部音を増幅して前記スピーカーに出力する第２のパワー増幅器と、前記増幅器で増幅した前記外部音に警笛、警報またはサイレン等の外部特定音が含まれていることを検出する外部特定音検出回路と、前記外部特定音検出回路が前記外部特定音を検出すると前記音源の出力を増幅する前記第１のパワー増幅器の出力を止めて前記外部特定音を増幅する前記第２のパワー増幅器の出力を前記スピーカーに出力する切替回路とを備え、前記切替回路は通常は前記増幅器で増幅した前記外部音を前記第１のパワー増幅器に与えていて前記外部特定音検出回路が前記外部特定音を検出すると前記増幅器で増幅した前記外部音を前記第２のパワー増幅器に与える切替を行う構成になっていることを特徴とするマイクロフォン付きヘッドセット。
【請求項５】
ヘッドセット本体に設けられたスピーカー及びマイクロフォンと、前記マイクロフォンで受信した外部音を増幅する増幅器と、前記増幅器で増幅した前記外部音に警笛、警報またはサイレン等の外部特定音が含まれていることを検出する外部特定音検出回路と、通常は前記増幅器で増幅された前記外部音をキャンセルすると共に音楽プレイヤーや携帯電話等の音源からの信号を増幅して前記スピーカーに出力し、前記外部特定音検出回路が前記外部特定音を検出した際には前記音源の出力を止めて前記外部特定音を増幅して前記スピーカーに出力するパワー増幅器とを備えた構成になっていることを特徴とするマイクロフォン付きヘッドセット。
【請求項６】
ヘッドセット本体に設けられたスピーカー及びマイクロフォンと、前記マイクロフォンで受信した外部音を増幅する増幅器と、音楽プレイヤーや携帯電話等の音源からの信号の増幅と前記増幅器からの前記外部音の増幅をして前記スピーカーに出力する第１のパワー増幅器と、前記増幅器で増幅した前記外部音を増幅して前記スピーカーに出力する第２のパワー増幅器と、前記増幅器で増幅した前記外部音に警笛、警報またはサイレン等の外部特定音が含まれていることを検出する外部特定音検出回路と、前記外部特定音検出回路が前記外部特定音を検出すると前記音源の出力を増幅する前記第１のパワー増幅器の出力を止めて前記外部特定音を増幅する前記第２のパワー増幅器の出力を前記スピーカーに出力する切替回路とを備え、前記切替回路は通常は前記増幅器で増幅した前記外部音を前記第１のパワー増幅器に与えていて前記外部特定音検出回路が前記外部特定音を検出すると前記増幅器で増幅した前記外部音を前記第２のパワー増幅器に与える切替を行う構成になっていることを特徴とするマイクロフォン付きヘッドセット。
【請求項７】
ヘッドセット本体に設けられたスピーカー及びマイクロフォンと、前記マイクロフォンで受信した外部音を増幅する増幅器と、前記増幅器で増幅した前記外部音に警笛、警報またはサイレン等の外部特定音が含まれていることを検出する外部特定音検出回路と、通常は前記増幅器で増幅された前記外部音を増幅すると共に音楽プレイヤーや携帯電話等の音源からの信号を増幅して前記スピーカーに出力し、前記外部特定音検出回路が前記外部特定音を検出した際には前記音源の出力を止めて前記外部特定音を増幅して前記スピーカーに出力するパワー増幅器とを備えた構成になっていることを特徴とするマイクロフォン付きヘッドセット。
【請求項８】
前記外部特定音検出回路は、前記増幅器で増幅された前記外部音から音響を認識する音響認識回路と、警笛、警報またはサイレン等の外部特定音を記憶しているメモリと、前記メモリの記憶を参照して前記音響認識回路の出力に前記外部特定音が含まれていることを検出すると前記音源からの信号を遮断して前記外部特定音を聴取する信号を出力するマイクロコンピュータとを備えていることを特徴とする請求項４乃至７のいずれか１項に記載のマイクロフォン付きヘッドセット。
【請求項９】
前記増幅器の後段には、前記増幅器から出力されるアナログ信号をデイジタル信号に変換して前記外部特定音検出回路に与えるＡ／Ｄコンバーターと、前記デイジタル信号をアナログ信号に変換して前記切替回路または前記パワー増幅器に与えるＤ／Ａコンバーターとが接続されていることを特徴とする請求項４乃至７のいずれか１項に記載のマイクロフォン付きヘッドセット。
【発明の詳細な説明】
【技術分野】
【０００１】
本発明は、外部からの騒音等の外部音を受信するマイクロフォンを有するマイクロフォン付きヘッドセットで音楽プレイヤーや携帯電話等の音源からの信号を聴取している際に、外部の警笛、警報またはサイレン等の外部特定音を認識して聞こえるようにするマイクロフォン付きヘッドセットの外部特定音認識方法及びマイクロフォン付きヘッドセットに関するものである。
【背景技術】
【０００２】
従来のマイクロフォン付きヘッドセットは、音楽プレイヤーや携帯電話等の音源からの信号を聴取しているときに、マイクロフォンで受信した外部音をキャンセルして音源からの信号を聴きやすくする構造であった（例えば、特許文献１及び特許文献２参照。）。
【特許文献１】特開平１１−２３７８８９号公報
【特許文献１】特表２００５−５０５００９号公報
【発明の開示】
【発明が解決しようとする課題】
【０００３】
しかしながら、上記のような構造のマイクロフォン付きヘッドセットでは、例えば道路を歩いているときに外部音の一種である警笛、警報またはサイレン等の外部特定音も認識することができず、ヘッドセットの利用者が危険にさらされる問題点があった。
【０００４】
本発明の目的は、警笛、警報またはサイレン等の外部特定音を認識できるマイクロフォン付きヘッドセットの外部特定音認識方法及びマイクロフォン付きヘッドセットを提供することにある。
【課題を解決するための手段】
【０００５】
上述の如き従来の問題を解決し、所期の目的を達成するための請求項１に記載のマイクロフォン付きヘッドセットの外部特定音認識方法は、ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取している際に、前記マイクロフォンで受信した外部音をキャンセルして前記音源からの信号を聴き易くするマイクロフォン付きヘッドセットに、外部の警笛、警報またはサイレン等の外部特定音を検出する外部特定音検出回路を設け、前記外部特定音検出回路で前記外部音の中に前記外部特定音を検出した際に、前記音源からの信号を遮断して前記外部特定音を聴取することを特徴とする。
【０００６】
請求項２に記載のマイクロフォン付きヘッドセットの外部特定音認識方法は、ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取している際に、前記マイクロフォンで受信した外部音をキャンセルして前記音源からの信号を聴き易くするマイクロフォン付きヘッドセットに、外部の警笛、警報またはサイレン等の外部特定音を予め記憶しておく外部特定音記憶部を有する外部特定音検出回路を設け、前記外部特定音記憶部を用いて前記外部音の中に前記外部特定音が含まれていることを前記外部特定音検出回路が検出した際に、前記音源からの信号を遮断して前記外部特定音を聴取することを特徴とする。
【０００７】
請求項３に記載のマイクロフォン付きヘッドセットの外部特定音認識方法は、ヘッドセット本体にスピーカーとマイクロフォンを設け、前記マイクロフォンで外部音を受信しつつ、音楽プレイヤーや携帯電話等の音源からの信号を前記ヘッドセット本体の前記スピーカーを用いて聴取するマイクロフォン付きヘッドセットに、外部の警笛、警報またはサイレン等の外部特定音を検出する外部特定音検出回路を設け、前記外部特定音検出回路で前記外部音の中に前記外部特定音を検出した際に、前記音源からの信号を遮断して前記外部特定音を聴取することを特徴とする。
【０００８】
請求項４に記載のマイクロフォン付きヘッドセットは、ヘッドセット本体に設けられたスピーカー及びマイクロフォンと、前記マイクロフォンで受信した外部音を増幅する増幅器と、音楽プレイヤーや携帯電話等の音源からの信号を増幅しつつ前記増幅器からの前記外部音をキャンセルして前記スピーカーに出力する第１のパワー増幅器と、前記増幅器で増幅した前記外部音を増幅して前記スピーカーに出力する第２のパワー増幅器と、前記増幅器で増幅した前記外部音に警笛、警報またはサイレン等の外部特定音が含まれていることを検出する外部特定音検出回路と、前記外部特定音検出回路が前記外部特定音を検出すると前記音源の出力を増幅する前記第１のパワー増幅器の出力を止めて前記外部特定音を増幅する前記第２のパワー増幅器の出力を前記スピーカーに出力する切替回路とを備え、前記切替回路は通常は前記増幅器で増幅した前記外部音を前記第１のパワー増幅器に与えていて前記外部特定音検出回路が前記外部特定音を検出すると前記増幅器で増幅した前記外部音を前記第２のパワー増幅器に与える切替を行う構成になっていることを特徴とする。
【０００９】
請求項５に記載のマイクロフォン付きヘッドセットは、ヘッドセット本体に設けられたスピーカー及びマイクロフォンと、前記マイクロフォンで受信した外部音を増幅する増幅器と、前記増幅器で増幅した前記外部音に警笛、警報またはサイレン等の外部特定音が含まれていることを検出する外部特定音検出回路と、通常は前記増幅器で増幅された前記外部音をキャンセルすると共に音楽プレイヤーや携帯電話等の音源からの信号を増幅して前記スピーカーに出力し、前記外部特定音検出回路が前記外部特定音を検出した際には前記音源の出力を止めて前記外部特定音を増幅して前記スピーカーに出力するパワー増幅器とを備えた構成になっていることを特徴とする。
【００１０】
請求項６に記載のマイクロフォン付きヘッドセットは、ヘッドセット本体に設けられたスピーカー及びマイクロフォンと、前記マイクロフォンで受信した外部音を増幅する増幅器と、音楽プレイヤーや携帯電話等の音源からの信号の増幅と前記増幅器からの前記外部音の増幅をして前記スピーカーに出力する第１のパワー増幅器と、前記増幅器で増幅した前記外部音を増幅して前記スピーカーに出力する第２のパワー増幅器と、前記増幅器で増幅した前記外部音に警笛、警報またはサイレン等の外部特定音が含まれていることを検出する外部特定音検出回路と、前記外部特定音検出回路が前記外部特定音を検出すると前記音源の出力を増幅する前記第１のパワー増幅器の出力を止めて前記外部特定音を増幅する前記第２のパワー増幅器の出力を前記スピーカーに出力する切替回路とを備え、前記切替回路は通常は前記増幅器で増幅した前記外部音を前記第１のパワー増幅器に与えていて前記外部特定音検出回路が前記外部特定音を検出すると前記増幅器で増幅した前記外部音を前記第２のパワー増幅器に与える切替を行う構成になっていることを特徴とする。
【００１１】
請求項７に記載のマイクロフォン付きヘッドセットは、ヘッドセット本体に設けられたスピーカー及びマイクロフォンと、前記マイクロフォンで受信した外部音を増幅する増幅器と、前記増幅器で増幅した前記外部音に警笛、警報またはサイレン等の外部特定音が含まれていることを検出する外部特定音検出回路と、通常は前記増幅器で増幅された前記外部音を増幅すると共に音楽プレイヤーや携帯電話等の音源からの信号を増幅して前記スピーカーに出力し、前記外部特定音検出回路が前記外部特定音を検出した際には前記音源の出力を止めて前記外部特定音を増幅して前記スピーカーに出力するパワー増幅器とを備えた構成になっていることを特徴とする。
【００１２】
請求項８に記載のマイクロフォン付きヘッドセットは、請求項４乃至７のいずれか１項において、前記外部特定音検出回路は、前記増幅器で増幅された前記外部音から音響を認識する音響認識回路と、警笛、警報またはサイレン等の外部特定音を記憶しているメモリと、前記メモリの記憶を参照して前記音響認識回路の出力に前記外部特定音が含まれていることを検出すると前記音源からの信号を遮断して前記外部特定音を聴取する信号を出力するマイクロコンピュータとを備えていることを特徴とする。
【００１３】
請求項９に記載のマイクロフォン付きヘッドセットは、請求項４乃至７のいずれか１項において、前記増幅器の後段には、前記増幅器から出力されるアナログ信号をデイジタル信号に変換して前記外部特定音検出回路に与えるＡ／Ｄコンバーターと、前記デイジタル信号をアナログ信号に変換して前記切替回路または前記パワー増幅器に与えるＤ／Ａコンバーターとが接続されていることを特徴とする。
【発明の効果】
【００１４】
本発明に係るマイクロフォン付きヘッドセットの外部特定音認識方法では、マイクロフォンで受信した外部音をキャンセルするマイクロフォン付きヘッドセットに、外部の警笛、警報またはサイレン等の外部特定音を検出する外部特定音検出回路を設けて、該外部特定音検出回路で外部音の中に外部特定音が含まれていることを検出した際に、音源からの信号を遮断して外部特定音を聴取するので、マイクロフォン付きヘッドセットであっても警笛、警報またはサイレン等の外部特定音を優先的に聴取できて、マイクロフォン付きヘッドセットの利用者が危険にさらされるのを回避することができる。
【００１５】
特に、外部特定音検出回路に、外部の警笛、警報またはサイレン等の外部特定音を予め記憶しておく外部特定音記憶部を設けておくと、この外部特定音記憶部に記憶させた外部特定音を検出できてマイクロフォン付きヘッドセットの利用者が危険にさらされるのを回避することができる。また、外部特定音記憶部を利用することにより外部特定音の種類を増加させることができる。
【００１６】
また本発明に係るマイクロフォン付きヘッドセットの外部特定音認識方法では、マイクロフォン付きヘッドセットに、外部の警笛、警報またはサイレン等の外部特定音を検出する外部特定音検出回路を設け、マイクロフォンが受信した生活音としての外部音と共に音源からの音を聴取している最中に、外部特定音検出回路が外部音の中に外部特定音が含まれていることを検出した際に、音源からの信号を遮断して外部特定音のみを聴取するので、マイクロフォン付きヘッドセットであっても警笛、警報またはサイレン等の外部特定音を優先的に聴取できて、マイクロフォン付きヘッドセットの利用者が危険にさらされるのを回避することができる。
４  また、本発明に係るマイクロフォン付きヘッドセットでは、ヘッドセット本体のマイクロフォンで受信した外部音を増幅する増幅器と、音楽プレイヤーや携帯電話等の音源からの信号を増幅しつつ増幅器からの外部音をキャンセルしてスピーカーに出力する第１のパワー増幅器と、増幅器で増幅した外部音を増幅してスピーカーに出力する第２のパワー増幅器と、増幅器からの外部音に警笛、警報またはサイレン等の外部特定音が含まれていることを検出する外部特定音検出回路と、該外部特定音検出回路が外部特定音を検出すると音源の出力を増幅する第１のパワー増幅器の出力を止めて外部特定音を増幅する第２のパワー増幅器の出力をスピーカーに出力する切替回路とを備え、切替回路は通常は増幅器で増幅した外部音を第１のパワー増幅器に与えていて外部特定音検出回路が外部特定音を検出すると増幅器で増幅した外部音を第２のパワー増幅器に与える切替を行う構成になっているので、マイクロフォンで受信した外部音をキャンセルするマイクロフォン付きヘッドセットであっても警笛、警報またはサイレン等の外部特定音を優先的に聴取できて、マイクロフォン付きヘッドセットの利用者が危険にさらされるのを回避することができる。またこのヘッドセットでは、音源の出力を増幅する第１のパワー増幅器と、外部特定音を増幅する第２のパワー増幅器とを備えているので、音源の出力と外部特定音の出力をそれぞれ最適に増幅できてスピーカーに供給することができる。
５  また、本発明に係るマイクロフォン付きヘッドセットでは、マイクロフォンで受信した外部音を増幅する増幅器で増幅した外部音に警笛、警報またはサイレン等の外部特定音が含まれていることを検出する外部特定音検出回路と、通常は増幅器で増幅された外部音をキャンセルすると共に音楽プレイヤーや携帯電話等の音源からの信号を増幅してスピーカーに出力し、外部特定音検出回路が外部特定音を検出した際には音源の出力を止めて外部特定音を増幅してスピーカーに出力するパワー増幅器を設けているので、マイクロフォンで受信した外部音をキャンセルするマイクロフォン付きヘッドセットであっても警笛、警報またはサイレン等の外部特定音を優先的に聴取できて、マイクロフォン付きヘッドセットの利用者が危険にさらされるのを回避することができる。またこのヘッドセットでは、パワー増幅器が外部音と音源からの信号を共に増幅してスピーカーに出力する構成になっており、また外部特定音検出回路が外部特定音を検出した際にパワー増幅器が音源の出力を止めて外部特定音を増幅してスピーカーに出力する構成になっているので、構成が簡略化されて低コストでマイクロフォン付きヘッドセットを提供することができる。
【００１７】
６また、本発明に係るマイクロフォン付きヘッドセットでは、ヘッドセット本体に設けられたスピーカー及びマイクロフォンと、該マイクロフォンで受信した外部音を増幅する増幅器と、音楽プレイヤーや携帯電話等の音源からの信号の増幅と増幅器からの外部音の増幅をしてスピーカーに出力する第１のパワー増幅器と、増幅器で増幅した外部音を増幅してスピーカーに出力する第２のパワー増幅器と、増幅器で増幅した外部音に警笛、警報またはサイレン等の外部特定音が含まれていることを検出する外部特定音検出回路と、外部特定音検出回路が外部特定音を検出すると音源の出力を増幅する第１のパワー増幅器の出力を止めて外部特定音を増幅する第２のパワー増幅器の出力をスピーカーに出力する切替回路とを備え、切替回路は通常は増幅器で増幅した外部音を第１のパワー増幅器に与えていて外部特定音検出回路が外部特定音を検出すると増幅器で増幅した外部音を第２のパワー増幅器に与える切替を行う構成になっているので、マイクロフォンが受信した生活音としての外部音と共に音源からの音を聴取している最中に、外部特定音検出回路が外部音の中に外部特定音が含まれていることを検出した際に、音源からの信号を遮断して外部特定音のみを聴取するので、マイクロフォン付きヘッドセットであっても警笛、警報またはサイレン等の外部特定音を優先的に聴取できて、マイクロフォン付きヘッドセットの利用者が危険にさらされるのを回避することができる。またこのヘッドセットでは、音源の出力を増幅する第１のパワー増幅器と、外部特定音を増幅する第２のパワー増幅器とを備えているので、音源の出力と外部特定音の出力をそれぞれ最適に増幅できてスピーカーに供給することができる。
【００１８】
７また、本発明に係るマイクロフォン付きヘッドセットでは、ヘッドセット本体に設けられたスピーカー及びマイクロフォンと、該マイクロフォンで受信した外部音を増幅する増幅器と、該増幅器で増幅した外部音に警笛、警報またはサイレン等の外部特定音が含まれていることを検出する外部特定音検出回路と、通常は増幅器で増幅された外部音を増幅すると共に音楽プレイヤーや携帯電話等の音源からの信号を増幅してスピーカーに出力し、外部特定音検出回路が外部特定音を検出した際には音源の出力を止めて外部特定音を増幅してスピーカーに出力するパワー増幅器とを備えているので、マイクロフォンが受信した生活音としての外部音と共に音源からの音を聴取している最中に、外部特定音検出回路が外部音の中に外部特定音が含まれていることを検出した際に、音源からの信号を遮断して外部特定音のみを聴取するので、マイクロフォン付きヘッドセットであっても警笛、警報またはサイレン等の外部特定音を優先的に聴取できて、マイクロフォン付きヘッドセットの利用者が危険にさらされるのを回避することができる。またこのヘッドセットでは、パワー増幅器が外部音と音源からの信号を共に増幅してスピーカーに出力する構成になっており、また外部特定音検出回路が外部特定音を検出した際にパワー増幅器が音源の出力を止めて外部特定音を増幅してスピーカーに出力する構成になっているので、構成が簡略化されて低コストでマイクロフォン付きヘッドセットを提供することができる。
【００１９】
また、外部特定音検出回路が、警笛、警報またはサイレン等の外部特定音を記憶しているメモリと、該メモリの記憶を参照して外部音に外部特定音が含まれていることを検出すると音源からの信号を遮断して外部特定音を聴取する信号を出力するマイクロコンピュータとを備えていると、これらメモリとマイクロコンピュータとにより、外部特定音を検出できてマイクロフォン付きヘッドセットの利用者が危険にさらされるのを回避することができる。
【００２０】
さらに、増幅器の後段に、増幅器から出力されるアナログ信号をデイジタル信号に変換して外部特定音検出回路に与えるＡ／Ｄコンバーターと、デイジタル信号をアナログ信号に変換して切替回路またはパワー増幅器に与えるＤ／Ａコンバーターとが接続されていると、増幅器から出力される外部音をデイジタル信号として外部特定音検出回路に与えることができ、デイジタル信号によれば、外部特定音の音域、音量等における特徴的なポイントを容易に認識することが可能となり、外部特定音の検出を容易に行うことができる。
【発明を実施するための最良の形態】
【００２１】
次に、本発明に係るマイクロフォン付きヘッドセットの外部特定音認識方法及びマイクロフォン付きヘッドセットを実施するための最良の形態を、図面に示す実施例を参照して詳細に説明する。
【００２２】
図１は本発明に係るマイクロフォン付きヘッドセットの第１実施例を示したものである。
【００２３】
本実施例のマイクロフォン付きヘッドセットでは、ヘッドセット本体１にスピーカー２とマイクロフォン３とが設けられている。スピーカー２は、通常は使用者の両耳にあてがわれるようになっている。マイクロフォン３は、外部音を受信するように外向きに配置されている。このマイクロフォン３で受信された外部音は、増幅器４で増幅されるようになっている。また、音楽プレイヤーや携帯電話等の音源５を備えている。この音源５からの信号を増幅しつつ増幅器４からの外部音をキャンセルしてスピーカー２に出力する第１のパワー増幅器６と、増幅器４で増幅した外部音を増幅してスピーカー２に出力する第２のパワー増幅器７とを備えている。第２のパワー増幅器７の前段には、位相反転回路８が接続されている。
【００２４】
また、増幅器４で増幅した外部音に警笛、警報またはサイレン等の外部特定音が含まれていることを検出する外部特定音検出回路９を備えている。この外部特定音検出回路９は、増幅器４で増幅された外部音から音響を認識するＬＳＩ（大規模集積回路）よりなる音響認識回路１０と、この音響認識回路１０にクロック信号を与えるクロック回路１１と、音響認識回路１０に接続されたＬＳＩよりなる外付け回路１２と、警笛、警報またはサイレン等の外部特定音を記憶しているメモリ１３と、該メモリ１３の記憶を参照して音響認識回路１０の出力に外部特定音が含まれていることを検出すると音源５からの信号を遮断して外部特定音を聴取する信号を出力するマイクロコンピュータ１４とを備えている。
【００２５】
さらに、外部特定音検出回路９が外部特定音を検出すると音源５の出力を増幅する第１のパワー増幅器６の出力を止めて外部特定音を増幅する第２のパワー増幅器７の出力をスピーカー２に出力する切替回路１５とを備えている。切替回路１５は、通常は増幅器４で増幅した外部音を第１のパワー増幅器６に与えていて、マイクロコンピュータ１４から信号が与えられると切替えが行われて増幅器４で増幅した外部音を第２のパワー増幅器７に与えるようになっている。
【００２６】
マイクロコンピュータ１４は、音響認識回路１０の出力に外部特定音が含まれていることを検出した際に、音源５からの信号を遮断して外部特定音を聴取する信号として、第１のパワー増幅器６に対してその出力を止めるシャットダウン信号と、切替回路１５に第１のパワー増幅器６から第２のパワー増幅器７に切り換える切替信号とを出力するようになっている。
【００２７】
次に、このような第１実施例のマイクロフォン付きヘッドセットを用いた第１実施例のマイクロフォン付きヘッドセットの外部特定音認識方法について説明する。
【００２８】
このマイクロフォン付きヘッドセットの外部特定音認識方法では、ヘッドセット本体１のマイクロフォン３で外部音を受信し、増幅器４で増幅する。増幅器４で増幅した外部音は、切替回路１５を介して第１のパワー増幅器６に与える。また、音楽プレイヤーや携帯電話等の音源５からの信号は第１のパワー増幅器６に与える。第１のパワー増幅器６は、音源５からの信号を増幅しつつ増幅器４からの外部音をキャンセルしてヘッドセット本体１のスピーカー２に出力する。従って、増幅器４からの外部音をキャンセルしながら音源５からの信号をスピーカー２で聴取する。音源５からの信号を聴取している時には、切替回路１５は第２のパワー増幅器７に増幅器４からの外部音を供給しない。
【００２９】
音楽プレイヤーや携帯電話等の音源５からの信号をヘッドセット本体１のスピーカー２を用いて聴取している際に、外部特定音検出回路９で外部音が外部特定音を検出すると、外部特定音検出回路９はシャットダウン信号を第１のパワー増幅器６に出力して音源５からの信号を遮断し、また外部特定音検出回路９は切替信号を切替回路１５に出力する。これにより切替回路１５は、増幅器４で増幅した外部音を、第１のパワー増幅器６に与えるのを中止して第２のパワー増幅器７に与える切替を行う。スピーカー２は、第１のパワー増幅器６から音源５からの信号が遮断され、第２のパワー増幅器７から与えられる外部特定音を音声出力する。従って、マイクロフォン付きヘッドセットであっても警笛、警報またはサイレン等の外部特定音を優先的に聴取できて、マイクロフォン付きヘッドセットの利用者が危険にさらされるのを回避することができる。
【００３０】
図２は本発明に係るマイクロフォン付きヘッドセットの第２実施例を示したものである。なお、第１実施例と対応する構成要素には、第１実施例と同じ符号を用いて示している。
【００３１】
本実施例のマイクロフォン付きヘッドセットでは、マイクロフォン３で受信された外部音を増幅する増幅器４の後段には、外部音からなるアナログ信号をデイジタル信号に変換するＡ／Ｄコンバーター１６が接続されている。Ａ／Ｄコンバーター１６から出力される外部音からなるデイジタル信号は、外部特定音検出回路９に与えられるようになっている。外部特定音検出回路９は、第１実施例と同様の構成になっている。また、Ａ／Ｄコンバーター１６から出力される外部音からなるデイジタル信号は、Ｄ／Ａコンバーター１７でアナログ信号に戻されて後段のパワー増幅器１８に入力されるようになっている。パワー増幅器１８は、Ｄ／Ａコンバーター１７を経て与えられる外部音からなる信号をキャンセルすると共に音楽プレイヤーや携帯電話等の音源５からの信号を増幅してスピーカー２に出力し、外部特定音検出回路９が外部特定音を検出した際には音源５の出力を止めて外部特定音を増幅してスピーカー２に出力する構成になっている。
【００３２】
次に、このような第２実施例のマイクロフォン付きヘッドセットを用いた第２実施例のマイクロフォン付きヘッドセットの外部特定音認識方法について説明する。
【００３３】
このマイクロフォン付きヘッドセットの外部特定音認識方法では、ヘッドセット本体１のマイクロフォン３で外部音を受信し、増幅器４で増幅した後、この増幅された外部音からなるアナログ信号をＡ／Ｄコンバーター１６でデイジタル信号に変換して外部特定音検出回路９に与える。また、Ａ／Ｄコンバーター１６から出力される外部音からなるデイジタル信号は、Ｄ／Ａコンバーター１７でアナログ信号に戻してパワー増幅器１８に与える。音楽プレイヤーや携帯電話等の音源５からの信号もパワー増幅器１８に与える。パワー増幅器１８は、通常は増幅器４で増幅された外部音をキャンセルすると共に音楽プレイヤーや携帯電話等の音源５からの信号を増幅してスピーカー２に出力する。
【００３４】
外部特定音検出回路９がマイクロフォン３からの外部音に警笛、警報またはサイレン等の外部特定音が含まれていることを検出すると、外部特定音検出回路９はシャットダウン信号をパワー増幅器１８に与える。パワー増幅器１８は、シャットダウン信号が与えられると、音源５からの信号を遮断してＤ／Ａコンバーター１７を経て与えられる外部音のみを増幅するように切り替える。従って、マイクロフォン付きヘッドセットであっても警笛、警報またはサイレン等の外部特定音を優先的に聴取できて、マイクロフォン付きヘッドセットの利用者が危険にさらされるのを回避することができる。
【００３５】
特に第２実施例のマイクロフォン付きヘッドセットでは、増幅器４の後段に、増幅器４から出力されるアナログ信号をデイジタル信号に変換して外部特定音検出回路９に与えるＡ／Ｄコンバーター１６と、デイジタル信号をアナログ信号に変換してパワー増幅器１８に与えるＤ／Ａコンバーター１７とが接続されているので、増幅器４から出力される外部音をデイジタル信号として外部特定音検出回路９に与えることができ、このデイジタル信号によれば、外部特定音の音域、音量等における特徴的なポイントを容易に認識することが可能となり、外部特定音の検出を容易に行うことができる。
【００３６】
なお、前述した第１実施例においても、この第２実施例と同様に、増幅器４の後段に、増幅器４から出力されるアナログ信号をデイジタル信号に変換して外部特定音検出回路９に与えるＡ／Ｄコンバーター１６と、デイジタル信号をアナログ信号に変換して切替回路１５に与えるＤ／Ａコンバーター１７とを接続することができる。
【００３７】
また、図１に示す第１実施例や、図２に示す第２実施例においては、第１のパワー増幅器６やパワー増幅器１８で外部音をキャンセルすることなくそのままスピーカー２に出力することもできる。この場合も、外部特定音検出回路９が外部特定音を検出すると、音源５の出力を止めて、この外部特定音のみを第２のパワー増幅器７やパワー増幅器１８で増幅してスピーカー２に出力する構成にすることもできる。
【図面の簡単な説明】
【００３８】
【図１】本発明に係るマイクロフォン付きヘッドセットの第１実施例を示したブロック図である。
【図２】本発明に係るマイクロフォン付きヘッドセットの第２実施例を示したブロック図である。
【符号の説明】
【００３９】
１  ヘッドセット本体
２  スピーカー
３  マイクロフォン
４  増幅器
５  音源
６  第１のパワー増幅器
７  第２のパワー増幅器
８  位相反転回路
９  外部特定音検出回路
１０  音響認識回路
１１  クロック回路
１２  外付け回路
１３  メモリ
１４  マイクロコンピュータ
１５  切替回路
１６  Ａ／Ｄコンバーター
１７  Ｄ／Ａコンバーター
１８  パワー増幅器
【図１】
2008300894.tif 000003
【図２】
2008300894.tif 000004